(57)【要約】  本発明によれば、支持部材（１）と、最下部領域内の両側で前方へ突出する２つの延長部（２ａ）と、同様の肩掛け部（６）とが、がっしりとした構造を持つプラスチックの硬質シェルを形成している。ウエスト・ベルト（４）を支持しており垂直方向に調節可能な帯部（３）は延長部（２ａ）に固定され、一方、肩取付部（８）がボールソケット継手（７）を介して肩掛け部（６）に隣接している。前記肩取付部（８）は、夫々１つの頂部ベルト（９）と、バックル（１１）を介して頂部ベルト（９）に結合されている下側ベルト（１０）とを含む肩ベルト機構を支持しており、下側ベルト（１０）は、前記バックル（１１）を介して延長部（２ａ）までずっと引っ張られて、ここに固定されている。運搬されるべき物体を運ぶためのバッグは、支持部材（１）の前面に配置され、硬質シェル内で、前記バッグ（１２）には前方から近づくことが可能であり、一方、スノーボード、スノーシューズ、ヘルメット又は他の大型の物体を固定するための固定紐（１４，１５）は、背面上に取り付けられている。装着者の身体に対する前記物体の位置は、支持部材（１）が肩ベルト機構とウエスト・ベルト（４）へ固定されるか、又は強固に連結されることによって、確実に固定されている。
2008503282.tif 000002
【特許請求の範囲】
【請求項１】
運搬されるべき物体を収容するバッグ（１２）とウエスト・ベルト（４）と２つの肩ベルト機構とを備えている運搬具であって、
実質上垂直な支持部材（１）、及びこの支持部材から距離を置いて支持部材（１）の下端領域に配置されたヒップ取付部を含むとともに、ヒップ取付部に連結されたウエスト・ベルト（４）、及び同様に支持部材（１）から距離を置いて支持部材（１）の上端領域に配置され、しかもその両端の少なくとも一方に取り付けられた肩ベルト機構を有している肩取付部（８）を有している剛性の支持ラックを備え、
一方、バッグ（１２）は、支持部材（１）の前部に少なくとも部分的に空間を置いて配置されるように、しかし、ヒップ取付部及び肩取付部（８）を越えて広がらないように、支持ラックに固定されていることを特徴とする運搬具。
【請求項２】
ヒップ取付部と肩取付部（８）が、支持部材から少なくとも１０ｃｍ、また好ましくは１５ｃｍから２０ｃｍ夫々間隔を置いていることを特徴とする請求項１に記載の運搬具。
【請求項３】
好ましくはヒップ取付部が、支持部材（１）の両側から前部に向かって突出する実質上平行に配置された２つの延長部（２ａ，２ｂ）を備えているヒップ・レストに取り付けられていることを特徴とする請求項１又は２に記載の運搬具。
【請求項４】
肩ベルト機構は、夫々肩取付部（８）に固定された頂部ベルト（９）と下側ベルト（１０）とを夫々備え、
しかも、頂部ベルト（９）はバックル（１１）を介して下側ベルト（１０）に連結されており、
更に、肩取付部（８）及びバックル（１１）間に配置された頂部ベルト（９）の部分と、肩取付部（８）及びバックル（１１）間に配置された下側ベルト（１０）の部分との全長がバックル（１１）で調節可能であることを特徴とする請求項１乃至３の何れか一項に記載の運搬具。
【請求項５】
下側ベルト（１０）は、バックル（１１）を介して固定され、支持ラックの下端領域に配置された固定位置まで延長するよう配置されていることを特徴とする請求項４に記載の運搬具。
【請求項６】
肩取付部（８）は、支持部材（１）に強固に連結された肩掛け部（６）に固定されていることを特徴とする請求項４又は５に記載の運搬具。
【請求項７】
肩取付部（８）又はヒップ取付部は、支持部材（１）に接合されていることを特徴とする請求項１乃至６の何れか一項に記載の運搬具。
【請求項８】
前記接合されている連結がボールソケット継手（７）によって実現されていることを特徴とする請求項７に記載の運搬具。
【請求項９】
ボールソケット継手（７）は、球形凹状の外部ジョイント面を伴うソケット（１８）と、外部ジョイント面に接触するように配置された凸状の内部ジョイント面を伴う頭部（１９）とを備え、
頭部はソケット（１８）に対する限定的な空間角度に渡って回転可能であり、
更に、内部ジョイント面に形成された凹所（２０）を介してソケット（１８）を頭部（１９）に結合する細長い連結部材（２２）を備えており、連結部材は内部ジョイント面の中央領域に固定されていることを特徴とする請求項８に記載の運搬具。
【請求項１０】
外部ジョイント面によって内部ジョイント面に及ぼされる圧力が、連結部材（２２）、好ましくはソケット（１８）側の連結の固定を変更することによって調節可能である請求項９に記載の運搬具。
【請求項１１】
ウエスト・ベルト（４）は、支持部材（１）に対して高さ調節可能であることを特徴とする請求項１乃至１０の何れか一項に記載の運搬具。
【請求項１２】
支持部材（１）は、その前面に配置されたバッグ（１２）を有する実質上平坦な壁部材として形成されていることを特徴とする請求項１乃至１１の何れか一項に記載の運搬具。
【請求項１３】
支持部材（１）、ヒップ・レスト及び肩掛け部（６）は、シェル形状の構成で一体形成されていることを特徴とする請求項３、６、又は１２の何れか一項に記載の運搬具。
【請求項１４】
支持部材（１）は、支持部材の上端領域と下端領域に夫々配置されている少なくとも１つの固定紐、好ましくは少なくとも１つの横方向の固定紐（１４；１５）を伴う後部側を有していることを特徴とする請求項１乃至１３の何れか一項に記載の運搬具。
【請求項１５】
バッグ（１２）は、少なくとも１つの閉封可能な開口部（１３）がその前部側に設けられていることを特徴とする請求項１乃至１４の何れか一項に記載の運搬具。
【発明の詳細な説明】
【技術分野】
【０００１】
本発明は、例えばハイキング・ツアー時、自転車乗車時、又はスキー及びスノーボード・ツアー時に使用されるバックパック状の運搬具に関する。
【背景技術】
【０００２】
ありふれたタイプの一般的な運搬具は、通常、硬質布材料で作られたバックパックの形状をなしており、運搬具の下端領域における前方部に、クッション付きのウエスト・ベルトが取り付けられている。このウエスト・ベルトはバックパックに縫合された中央部分とバックパックの側端部を越えて延長している横方向部分を備えており、横方向部分の両端がバックルによって互いに固定されるように適用されている。この運搬具は更に前方部の両端に沿って上方端に向かって延長している２本の固定クッション紐を備えている。このクッション紐は運搬具を僅かにより剛性構造にするとともに、前方部を使用者の背中から離して維持し、また、空気を循環させこれによって発汗の広がりと蓄積を低減するのに有効である。肩ベルトの上端部は、クッション紐の両端を結合するように構成されており、一方、肩ベルトの下端部は、例えば、ウエスト・ベルトの上端領域でバックパックのバッグの直ぐ側方で固定されている。
【０００３】
運搬具は、例えば、スノーボード又はスノーシューズ、スキー板、スキー・シューズ又はヘルメットのような比較的大型、且つ、重い物体を運搬するにはあまり適していない。空間が小さいためにバッグ内に収容できず、バックパックの外側、特に後部側に固定しなければならない。この場合、この種の物体が可撓性を有するバッグを介してのみウエスト・ベルトと肩ベルトに連結されるので、使用者にしっかり取り付けられた部分に対して物体の位置が確実に固定されない。従って、例えば、スノーボードのような物体が滑ったり、回転したりすることが容易に起こり得る。これが使用者の背中に不完全な荷重分布を生じ、結果的に筋肉のゆがみを生じ、更に、物体が使用者の頭部又は脚部に当る。更にバッグを後部側で開けるので、バッグに収容された物体は、上述したような物体がこの領域内に固定されているときに、手にとることが困難となる。しばしばこの種の物体はバックを開ける前に、取り外さなければならない。
【０００４】
同様の欠点が公知の一般的な運搬具（米国特許第６１７９１８８号明細書）に存在する。この運搬具は硬質であるが、完全な剛性ラックを備えており、ウエスト・ベルト及び肩ベルト機構がラックの前部側に直接取り付けられ、一方、バッグがラックの後部側に配置されている。
【０００５】
更に、より小型の運搬具が提案されており、バッグはほとんどの部分が硬質シェルで置換され、前部側のみが可撓性を有する（米国特許第６１７９１８６号明細書、国際公開第０１／９７６５１号パンフレット）。しかし、この種の運搬具はウエスト・ベルトを備えておらず、またこのために当然大きい荷物を運搬するのには適していない。更に、可撓性を有する前部側が使用者の背中に全面的に接触するように寄りかかる。従って、高い身体的ストレスがある場合、相当な発汗が使用者の背中に蓄積され、衣類を濡らすことになる。硬い物体が収容されている場合、可撓性を有する前部側を介して感じられ、不快な圧力スポットを生じる。概して、このタイプの運搬具は、登山、自転車、スキー又はスノーボード・ツアーのような、より骨の折れるスポーツ活動には適していない。
【０００６】
更に、米国特許第５１８４８７３号明細書から、２個の互いに重ねられた箱状のモジュールを備えている運搬具が知られており、上側モジュールはその前部側に垂直クッション紐と肩ベルトを有し、下側モジュールはクッション付きウエスト・ベルトを備えている。２個のモジュールはボールソケット継手によって互いに連結されている。下側モジュールに対して上側モジュールが動くために、この運搬具も大型物体を外側に固定するのには適していない。この分割された構成は、比較的長い物体を運搬具内に収納することができないという更なる欠点を伴っている。
【特許文献１】仏国特許出願公開第２８１４３４９号明細書
【特許文献２】英国特許出願公開第２３４３６１８号明細書
【発明の開示】
【発明が解決しようとする課題】
【０００７】
本発明の目的は、一般的な運搬具を改良して、外側に大型物体を固定して運搬するのに適するようにすることである。
【課題を解決するための手段】
【０００８】
この目的は、請求項１の特徴部で開示した特長によって達成される。
【発明の効果】
【０００９】
本発明の運搬具は、外側に、例えばスノーボード、又はスノーシューズ、スキー板、スキー・シューズ、ヘルメット等のような大型の物体をも固定することができ、また、このようにすることで、使用者にしっかり取り付けられた部材、例えばウエスト・ベルトに対する物体の位置が、実質上固定される効果がある。このような物体の何れかが使用者の身体とぶつかること、また、結果として怪我又は障害が、大幅に防止される。
【発明を実施するための最良の形態】
【００１０】
本発明を、一実施例としてのみ示した図を参照して以下により詳細に説明する。
【００１１】
本発明の運搬具は、その側部が僅かに前方に曲げられている実質上平坦な壁のように構成された支持部材１を含んでプラスチックの硬質シェルのように形成された剛性支持ラックを備えている（図１〜３参照）。図１及び２に示されているような運搬具の通常の位置において、支持ラックは僅かに前方に傾斜して大きく垂直方向に向けられる。運搬具の通常の位置とは、運搬具が地面上に配置されたとき、また、担われたときが想定される。
【００１２】
支持部材１の下部領域は、約２０ｃｍの長さを有する２枚の板状の延長部２ａ，２ｂを備えたヒップ・レストによって結合されている。この延長部２ａ，２ｂは、支持部材１と一体形成され、平行に配置されて、支持部材の側端部から前方向に、実質上水平に突出している。延長部２ａ，２ｂ各々には帯部３が取り付けられている。この帯部３は、内側が接触面を形成しているクッション付きのウエスト・ベルト４が連結されているヒップ取付部を形成している。ウエスト・ベルトは帯部３間に配置された中央部を備えるとともに、一体形成された側部によって両側に連結されている。この側部の端部はウエスト・バックル５によって互いに着脱可能に取り付けられている。
【００１３】
上端領域において、支持部材１がこれも一体形成された肩掛け部６によって結合されており、肩掛け部６の長さは約２０ｃｍで、上方向に僅かに傾斜し、前方に突出している。更に、この肩掛け部は屋根のような形状をなしている。肩掛け部には、ボールソケット継手７を介して板状の肩取付部８が結合されている。肩取付部には、接触面として作用するその前部側にクッションが付けられ、両側のボールソケット継手７に、クッション付きの頂部ベルト９と下側ベルト１０、更にこれら両者を連結するバックル１１からなる夫々１本の肩ベルト機構を担っている。下側ベルト１０は、肩取付部８への固定部とバックル１１との間に配置されたベルトの長さが調整可能なようにバックル１１に連結されている。従って、頂部ベルト９と下側ベルト１０の前記部分によって形成されたループの全長は調整可能であり、使用者の要求に合わせることができる。このループは通常肩の上と脇の下を比較的ぴったり通るような寸法である。従って、ループは運搬具を安全に保持するのに役立ち、運搬具が制御なしに動くのをほぼ防ぐ。それにもかかわらず、ボールソケット継手７のために、使用者の移動性を実質的に制限することはない。
【００１４】
図４及び５に示したウエスト・ベルト機構の実施例において、下側ベルト１０は延長部２ａ，２ｂの端部までずっと、バックル１１を通して引っ張られ、また、その端部は延長部の上側に取り付けられている。ウエスト・ベルト機構は、バックル１１と延長部２ａ，２ｂ間に配置された部分が伸張されループが広くなる図４に示したような第１セッティング状態と、バックル１１と延長部２ａ，２ｂ間に配置された部分が緩められループが狭くなる図５に示したような第２セッティング状態との間で調整可能である。
【００１５】
第１セッティング状態は、例えば使用者が運搬具に固定されたスノーボードを持って登り坂を移動しているとき等に、より便利である。これは、肩のところでの後方への引っ張りが僅かに低減され、支持ラックがよりしっかりと使用者に固定されるからである。背中の柔軟性がある程度制限されているこの状況は、登り坂の移動のときにほとんど邪魔にならない。第２セッティング状態は、下り坂の移動により適している。何故なら背中の柔軟性がほとんど制限されないからである。下側ベルト１０は、引張り力のみでは動かされず、使用者の介入によってのみ動かすことができるように、バックル１１に固定されている。両実施例において、２つの肩ベルト機構は、前部に沿って水平方向に渡っている胸ベルトによって連結することができる。
【００１６】
支持部材１とこれから距離を置いて配置された取付部、即ちヒップ取付部と肩取付部８との間の空間は、支持部材１とヒップ・レストの延長部２ａ，２ｂと屋根状の肩掛け部６とによって部分的に囲まれている空間であり、一体の球状部材を共同で形成しているが、前方と側方からかなり自由にアクセス可能である。またこの空間は部分的に、例えば支持部材１にベルトで固定されたバッグ１２によって占められている。バッグ１２は、支持部材１の前部側に接触している一方、延長部２ａ，２ｂの曲げ入れられた底部に乗せられている。バッグは空間を完全に占めず、また、使用者の背中のどの場所からも距離を置いて配置される効果が発揮されるように寸法付けられている。バッグの前部側は開口部１３を有し、この開口部１３は例えばジッパーによって閉封可能に形成されており、運搬具が取り外されたときに、物体が支持部材１の後部側に固定されているか否かに関係なく、バッグの内容物には直接的に近づき易い。更に、バッグにはどの側部からも近づき易い別体のポケットを設けることもできる。
【００１７】
支持部材１は、上端領域及び下端領域の後部側に、夫々１つの横方向の固定紐１４，１５を備えている。これらの固定紐１４，１５はスノーボード、スキー板、スノーシューズ、スキーシューズ、ヘルメット、バッグ又は支持ラックに対するコンテナのような大型物体を紐で縛るために使用することができ、これによって安全に、且つ、実質的に隙間を残さずに物体を固定することができる。延長部２ａ，２ｂに対して横方向に配置されているのは、例えばボトル・ホルダー、ばね式安全フック、カメラ等のような更なる物体を固定する付加的な固定紐１６であり、固定紐１６は、これらの物体を、運搬具を取り外さなくても近づき易い状態に保って吊り下げることができる。もう１つの固定紐１７が肩掛け部６の上端領域に取り付けられている。更に、固定紐は肩掛け部６上に横方向に設けることもできる。この場合、スキー板をも側部位置にこれらを紐で縛ることによって取り付けることができる。
【００１８】
肩掛け部６と肩取付部８間のボールソケット継手７を図６に示す。肩掛け部６は、凹状球体ふちなし帽状の外部ジョイント面を形成しており中央に配置されたソケット１８を備えている。これとは反対側に、肩取付部８は、一体形成された頭部１９を有し、頭部１９は、外部ジョイント面と接触するように配置された僅かに大きい半球状の凸状の内部ジョイント面を構成しており、これによって頭部１９はソケット１８に対する限定的な空間角度に渡って回転することができる。内部ジョイント面内の中央には、円形の凹所２０が設けられており、凹所２０は、凹所の端部から広がっている壁２１を備え、円錐状シェルの形状を有する。壁２１は円錐部の先端の下で途切れており、この領域で、内部ジョイント面の実質上中心に配置された穴が形成され、別の穴が反対側のソケット１８の中心に形成されている。
【００１９】
２つの穴には細長い連結部材２２、例えば１本のワイヤ又は好ましくはピンが挿通されており、穴を越えて横方向に延長し、外側に夫々接合部材２３，２４が設けられ、これによって連結部材２２が効果的にボールソケット継手を互いに保持している。ソケット１８の外側に配置された接合部材２３は連結部材２２上で変位するように構成されており、例えば、連結部材２２のねじ部と螺合する内ねじ付きナットとして形成されている。接合部材２３を動かすことによって外部ジョイント面と内部ジョイント面との間の押圧力が調節され、従ってボールソケット継手７の回転に抗する抵抗の調整が可能である。接合部材２３は肩取付部材８を取り外すことができるときに完全に除去可能である。もちろん、接合部材２３の代わりに、接合部材２４も調節可能に、且つ、取り外し可能に形成することもできる。
【００２０】
ヒップ取付部の帯部３とヒップ・レストの延長部２ａ，２ｂの両端部との固定は、紐の高さ調整が可能なように構成されている。この目的のために、延長部２ａの端部に、直線的で実質上垂直なエッジに沿って、相対的に等距離にある幾つかの穴２５が配置され、一方、対応する帯部３も中間高さで穴を伴って形成され、この穴が穴２５の１つと一致して配置されている。延長部２ｂと対応する紐との間の連結部も、同様に構成されている。これらの穴を通して配置されているのは、ナットによって固定されているボルト２６である。ボルト２６を取り外した後、帯部３を変位させることができ、穴２５のうち別の穴と延長部２ａの穴との一致が可能になり、またボルト２６が挿通され、再度固定される。このように、肩ベルト機構からウエスト・ベルト４までの距離は、使用者の背中の長さに合わせることができる。
【００２１】
説明した実施例の多数の修正が、本発明の範囲から逸脱せずに可能である。従って、例えば支持部材はフレームの形で穴を開けることもでき、あるいは肩掛け部はブラケット状の構成を有することもできる。大型物体が支持部材に固定されない場合、バッグには後方及び上方から夫々近づき易く、また、特にバッグが相当な範囲までいっぱいになったときに、支持部材を越えて後方又は上方向に延長することもできる。異なるサイズのバッグと交換することもできる。例えば、支持部材がフレーム状の構成の場合、日帰り旅行用の小さいバッグの場合は後部側が支持部材を越えて突出しておらず、従って物体の取り付けを邪魔することはなく、また、数日間旅行用の大きいバッグの場合は後部側に突出している。後者の場合には、その状況に応じて大型物体が支持部材の側部にのみ取り付けることができるかもしれない。更に、支持部材に、別個に又は同時的に取り付けるために複数のバッグ及びポケットを設けることもできる。ヒップ取付部及び肩取付部のどんな割合ででも使用者の身体に接触するように設けられた接触面が、支持部材の前方から充分な距離、通常約１０ｃｍから２５ｃｍ、好ましくは１５ｃｍから２０ｃｍ離れて配置されることが必須である。これによって、使用者は取付部に当接することはなく、また使用者の動きは邪魔されない。
【００２２】
硬質シェル構造は、金属製のロッド又は中空ロッドからなるラック構造に置き換えることもできる。ボールソケット継手の代わりに、弾性連結部、又は状況に応じてリニア・ジョイントを備えることもできる。広範囲の利用とこの利用に関連した動きの種類に関してより有益と考えられれば、ヒップ取付部を１つの一体化部材として形成するとともにこれをジョイント、例えば、ボールソケット継手を介して例えばブラケット状に形成されたヒップ・レストに結合することも可能である。しかし、このような構成の場合、肩取付部が肩掛け部に強固に連結されて、支持ラックの位置の充分な固定が保証される方が良い。また、ウエスト・ベルトの高さ調整は上述した構成とは異なる構造によっても実現することができる。
【図面の簡単な説明】
【００２３】
【図１】本発明に係る運搬具の側面図である。
【図２】本発明に係る運搬具の背面図である。
【図３】本発明に係る運搬具の正面図である。
【図４】第１セッティング状態にある肩ベルト機構を示し、肩ベルト機構に関して改良された本発明に係る運搬具の実施例を示す図である。
【図５】第２セッティング状態にある肩ベルト機構を示し、図４に係る運搬具を示す図である。
【図６】本発明に係る運搬具の肩掛け部の一部を示す拡大断面図である。
【図７】ヒップ取付部及びヒップ・レストの一部を含む本発明に係る運搬具の一部拡大断面図である。
【符号の説明】
【００２４】
１  支持部材
２ａ，２ｂ  延長部
３  帯部
４  ウエスト・ベルト
５  ウエスト・バックル
６  肩掛け部
７  ボールソケット継手
８  肩取付部
９  頂部ベルト
１０  下側ベルト
１１  バックル
１２  バッグ
１３  開口部
１４〜１７  固定紐
１８  ソケット
１９  頭部
２０  凹所
２１  壁
２２  連結部材
２３，２４  接合部材
２５  穴
２６  ボルト
【図１】
2008503282.tif 000003
【図２】
2008503282.tif 000004
【図３】
2008503282.tif 000005
【図４】
2008503282.tif 000006
【図５】
2008503282.tif 000007
【図６】
2008503282.tif 000008
【図７】
2008503282.tif 000009
【国際調査報告】
2008503282.tif 000010
2008503282.tif 000011
2008503282.tif 000012
2008503282.tif 000013
2008503282.tif 000014
2008503282.tif 000015
2008503282.tif 000016
2008503282.tif 000017